(57)【要約】【課題】下部タンクから排出されるメダルをメダル研磨機へ搬送するための搬送コンベアを下部タンクの排出口に容易に着脱することができ、下部タンクの排出口から落下してくるメダルが搬送コンベアの両側の隙間に入ることがないようにしたメダル搬送コンベアを提供する。【解決手段】下部タンク３の排出口１０には左右に支持片１１、１１が形成され、搬送コンベア４の両側の枠体１２、１２の上部には係止片１８、１８が形成され、該搬送コンベア４の両側の係止片１８、１８を下部タンク３の排出口１０の支持片１１、１１に上載することにより取付け可能とし、また搬送コンベア４のベルト幅を下部タンク３の排出口１０の幅よりも大なるものとし、且つ下部タンク３の排出口１０の下端から搬送コンベア４のベルト１５の上面までの落差を下部タンク３の排出口１０から落下するメダルＭの外径以下にした。【選択図】図５
2006204482.tif 000002
【特許請求の範囲】
【請求項１】
下部タンクの下方に設けられた排出口には両側に張り出した支持片が形成されると共に、前記搬送コンベアの両側の枠体の夫々の上部には前記下部タンクの排出口の支持片に上載される係止片が互いに内側向きに形成され、該搬送コンベアの両側の枠体の係止片を前記下部タンクの排出口の夫々の支持片に上載することにより、該搬送コンベアを前記下部タンクの排出口に取付け可能としたことを特徴とするメダル搬送コンベア。
【請求項２】
前記搬送コンベアのベルト幅を前記下部タンクの排出口の幅よりも大なるものとし、且つ前記下部タンクの排出口の下端から前記搬送コンベアのベルトの上面までの落差を前記下部タンクの排出口から落下するメダルの外径以下にしたことを特徴とする請求項１記載のメダル搬送コンベア。
【発明の詳細な説明】
【技術分野】
【０００１】
本発明は、例えばスロットマシン等の遊技機で使用されたメダルを下部タンクに投入した後、下部タンクから排出されるメダルをメダル研磨機へ搬送する際の搬送手段として使用するメダル搬送コンベアに関する。
【背景技術】
【０００２】
従来から、スロットマシン等の遊技機で使用されたメダルを衛生的に再使用するため、遊技機の回収ラインから送られてきたメダルをメダル研磨機へ搬送し、このメダル研磨機内にてメダルを浄化するようにしたメダル研磨機が使用されている。
【０００３】
このようなメダル研磨機に関する装置としては、特許文献１に示すものがある。この文献に開示された「研磨装置」は、図６(ａ)及び(ｂ)に示すように、一次タンク50、下部送出機51、リフター52、研磨ボックス53、シャッター装置54、二次タンク55、上部送出機56、振り分け機57及びホッパー58等を備えるものである。
【０００４】
このような構成において、一次タンク50内のメダルが下部送出機51を介してホッパー58に投入され、このホッパー58に投入されたメダルはリフター52により揚送された後、研磨ボックス53内を落下し、その落下中にメダルの表面が研磨される。
【０００５】
このようなメダルの搬送過程においては、ホッパー58の入口でメダル詰まりが生じないようにする必要がある。このため、一次タンク50の排出口とホッパー58の入口とを連絡する下部送出機51が設けられ、一次タンク50から排出されたメダルを下部送出機（具体的には、搬送コンベア）51のベルト上に落下させながらホッパー58の入口へ搬送するようにしている。
【０００６】
ところで、上記の特許文献１においては、一次タンク50の排出口とホッパー58の入口とを連絡する下部送出機51として用いられる搬送コンベア内にメダル詰まりが生じたとき等のメンテナンスを行う際に、一次タンク50の下部から容易に取り外すことができる構造にする必要がある。
【０００７】
さらに、スロットマシン等の遊技機において、搬送コンベアを使用した従来技術としては、特許文献２に記載された「玉磨き揚送装置」がある。この装置の構成は、図７(ａ)又は(ｂ)に示すように、フレーム60に設けられた上下のプーリ62、63により搬送ベルト61が張設され、扉65の内面にはレール本体67を介して研磨布68が固着され、レール体67に形成されている溝69に沿って研磨布68に複数条の玉案内溝70が形成されてなるものである。
【０００８】
上記の構成においては、フレーム60の下方のシュータ71を介して搬入されたパチンコ玉Ｐが、モータ72の駆動により回転している搬送ベルト61と研磨布68との間を各玉案内溝70に沿って１列ずつ転動しながら磨かれ、揚送されることにより、ダクト74より排出される。
【０００９】
ところが上記の構成においては、背面壁75とレール体67及び研磨布68の間に、パチンコ玉Ｐの径よりも大きい間隙76が扉65の上下方向に連続して形成されているため、外側の玉案内溝70を転動するパチンコ玉Ｐが玉案内溝70から脱出して、装置を破損させるおそれがある。そこで、特許文献２の発明は、図７（c）に示すように、扉65の両側部から搬送ベルト73の幅方向端部と研磨布68の幅方向端部との間に最も外側の玉案内溝70の付近まで延びる玉脱出防止部材77を設けることにより、パチンコ玉Ｐが玉案内溝70から脱出しないようにしている。
【特許文献１】特開２０００−２８８２３０号公報
【特許文献２】特開２００４−７３３０３号公報
【発明の開示】
【発明が解決しようとする課題】
【００１０】
ところで、上記の特許文献２の発明は、パチンコ玉Ｐが搬送ベルト61と研磨布68との間を各玉案内溝70に沿って１列ずつ転動しながら揚送されるため、個々のパチンコ玉Ｐは夫々の玉案内溝70に沿って整然と配列されるものである。
【００１１】
このような特許文献２の発明に対して、本発明は特許文献１の発明と同様に、スロットマシン等の遊技機で使用されるメダルの搬送に関するものであり、メダルをメダル研磨機へ搬送するための搬送コンベアに、特許文献２の玉案内溝70のような溝構造を設けた構成とするものではないため、一次タンク50の排出口から落下してくるメダルが搬送ベルト61の両側の隙間に入るおそれがある。
【００１２】
このように、搬送ベルト61から落下したメダルが搬送ベルト61の両側の隙間等に入り込んだりすると、搬送ベルト61の円滑な駆動の支障となり、また装置の損傷を招くおそれがあった。
【００１３】
本発明は、上記の問題点を解消するためになされたもので、メダルを下部タンクに投入した後、下部タンクから排出されるメダルをメダル研磨機へ搬送するための搬送コンベアを下部タンクの排出口に容易に着脱することができる構造とし、さらに、下部タンクの排出口から落下してくるメダルが搬送コンベアの両側の隙間に入ることがなく、これによって搬送コンベア及びその周辺の装置に支障を来たすことがないメダル搬送コンベアを提供することを目的とする。
【課題を解決するための手段】
【００１４】
上記の問題を解決するために、本発明の請求項１のメダル搬送コンベアは、下部タンクの下方に設けられた排出口には両側に張り出した支持片が形成されると共に、前記搬送コンベアの両側の枠体の夫々の上部には前記下部タンクの排出口の支持片に上載される係止片が互いに内側向きに形成され、該搬送コンベアの両側の係止片を前記下部タンクの排出口の夫々の支持片に上載することにより、該搬送コンベアを前記下部タンクの排出口に取付け可能としたことを特徴とする。
【００１５】
また、本発明の請求項２のメダル搬送コンベアは、請求項２において、前記搬送コンベアのベルト幅を前記下部タンクの排出口の幅よりも大なるものとし、且つ前記下部タンクの排出口の下端から前記搬送コンベアのベルトの上面までの落差を前記下部タンクの排出口から落下するメダルの外径以下にしたことを特徴とする。
【発明の効果】
【００１６】
本発明のメダル搬送コンベアによれば、下部タンクの下方に設けられた排出口には左右に張り出した支持片が形成され、また搬送コンベアの両側の枠体の夫々の上部には下部タンクの排出口の左右の支持片に上載される係止片が互いに内側向きに形成されているため、搬送コンベアの両側の枠体の係止片を下部タンクの排出口の左右の支持片に上載することにより、搬送コンベアを下部タンクの排出口に容易に着脱することが可能となる。
【００１７】
さらに、本発明のメダル搬送コンベアによれば、搬送コンベアのベルト幅を下部タンクの排出口の幅よりも大なるものとし、且つ下部タンクの排出口の下端から搬送コンベアのベルトの上面までの落差を下部タンクの排出口から落下するメダルの外径以下にしているため、下部タンクの排出口から落下してくるメダルが搬送コンベアの両側の隙間に直接入ることがなく、またメダルが搬送コンベアの両側の隙間に入ることもなく、従来装置のように搬送コンベア及びその周辺の装置に支障を来たすことがない。
【発明を実施するための最良の形態】
【００１８】
以下、本発明の実施例について図面を参照しながら説明する。
【実施例１】
【００１９】
図１は、本実施例におけるメダル研磨機（不図示）を装備したメダル研磨装置１の全体斜視図である。この装置の各部の構成についてメダルの流れと併せて説明すると、スロットマシン等の回収ラインから送られてきたメダルは、下部タンク３に投下され、この下部タンク３から搬送コンベア４を経てメダル研磨機（不図示）へ搬送される。また、下部タンク３がメダルで満杯になると、余剰のメダルはオーバーフロータンク５に蓄積される。なお、図１に示す計数機９は、遊技機の使用者が投入したメダルの数量を計数するためのものであり、この計数後にメダルは下部タンク３に落下するようにしている。
【００２０】
図２〜図５は、上記の構成における下部タンク３と搬送コンベア４を示すものである。まず、下部タンク３は、上方に開口３ａを有する矩形枠体３ｂの下部に内方に向かって勾配を有する絞り口３ｃが形成され、その最下部には矩形の排出口１０が形成されている。
【００２１】
また、図４に示すように、この下部タンク３の排出口１０には両側に張り出した支持片１１、１１が形成されている。このような支持片１１、１１は、矩形枠体からなる排出口１０の最下端の左右から所定幅を略水平方向に張り出すことによって形成される。また、周辺のスペースや搬送コンベア４の引出し方向に応じて、排出口１０の最下端の前後に支持片１１、１１を形成するようにしてもよい。
【００２２】
一方、搬送コンベア４は、図２に示すように、長尺の両側の枠体１２、１２の内部においてヘッド側（ベルトの進行方向先端側）１３とテール側（ベルトの進行方向後端側）１４にローラが回転自在に設けられると共に、両側のローラに所定幅のベルト１５がエンドレスに所定のテンションを有して掛けられた構成とされている。
【００２３】
また、搬送コンベア４のヘッド側１３にはモータ１６が設けられ、該モータ１６は減速機１７を介して上記のヘッド側１３のローラを駆動することにより、ベルト１５をヘッド側１３へ向けて走行させることができる。
【００２４】
このような搬送コンベア４においては、図４に示すように、両側の枠体１２、１２の夫々の上部には上記の下部タンク３の排出口１０の左右の支持片１１、１１に上載される係止片１８、１８が互いに内側向きに形成されている。このような係止片１８、１８は、搬送コンベア４の両側枠体１２、１２の夫々の上部に沿って所定幅だけ内側に向けて略水平状に折曲することにより形成することができる。
【００２５】
上記の構成において、図３または図５に示すように、搬送コンベア４の両側枠体１２、１２の係止片１８、１８を下部タンク３の排出口１０の両側の支持片１１、１１に上載することにより、容易に着脱することができる。
【００２６】
上記の構成において、図３または図５に示すように、搬送コンベア４の両側の枠体１２、１２の係止片１８、１８を下部タンク３の排出口１０の左右の支持片１１、１１に上載した状態にして所定位置までスライドすることにより、搬送コンベア４を下部タンク３の排出口１０に容易に取付けることができる。また、搬送コンベア４を手前に引き出すことによって、該搬送コンベア４を下部タンク３の排出口１０から容易に取り外すことができる。
【００２７】
なお、図３に示すように、下部タンク３の排出口１０の左右の支持片１１、１１と搬送コンベア４の両側の枠体１２、１２の夫々の係止片１８、１８とにネジ穴１９、１９…を形成して、上記のようにスライドした搬送コンベア４の両側の枠体１２、１２の係止片１８、１８と下部タンク３の排出口１０の左右の支持片１１、１１とをネジで止めることによって固定状態にすることができる。
【００２８】
さらに、本実施例では、図４又は図５に示すように、搬送コンベア４のベルト１５の幅Ｌ１を下部タンク３の排出口１０の幅Ｌ２よりも大なるものとし、且つ、下部タンク３の排出口１０の下端から搬送コンベア４のベルト１５の上面までの落差Ｈ（図５参照）が下部タンク３の排出口１０から落下するメダルＭの外径以下となるように構成している。
【００２９】
このように構成することにより、図５に示すように、搬送コンベア４のベルト１５と両側の枠体１２、１２との隙間２０、２０は下部タンク３の排出口１０の左右の支持片１１、１１で覆われた状態となるため、下部タンク３の排出口１０から落下してくるメダルＭが搬送コンベア４の両側の隙間２０、２０に入ることがなく、メダルＭが搬送コンベア４及びその周辺の装置に支障を来たすことがない。
【産業上の利用可能性】
【００３０】
本発明のメダル搬送コンベアは、例えばスロットマシン等の遊技機で使用されたメダルを下部タンクに投入した後、下部タンクから排出されるメダルをメダル研磨機へ搬送するための搬送コンベアを下部タンクの排出口に容易に着脱することができる構造であり、さらに下部タンクの排出口から落下してくるメダルが搬送コンベアの両側の隙間に入ることがなく、搬送コンベア及びその周辺の装置に支障を来たすことがないメダル搬送コンベアとして利用することが可能となる。
【図面の簡単な説明】
【００３１】
【図１】本発明に係るメダル搬送コンベアを装備したメダル研磨装置の前方側斜視図である。
【図２】本発明に係るメダル搬送コンベアを下部タンクの排出口に取付ける前の状態を示す斜視図である。
【図３】本発明に係るメダル搬送コンベアを下部タンクの排出口に取付けた状態を示す斜視図である。
【図４】本発明に係るメダル搬送コンベアを下部タンクの排出口に取付ける前の状態を示す部分拡大正面図である。
【図５】本発明に係るメダル搬送コンベアを下部タンクの排出口に取付けた状態を示す部分拡大正面図である。
【図６】(ａ)は特許文献１のメダル研磨機の内部を示す正面図、(ｂ)はその側面図である。
【図７】(ａ)は特許文献２の玉磨き揚送装置の内部を示す側面図、(ｂ)はその装置の搬送ベルトと扉の部分の横断面図、（c）は改良後の搬送ベルトと扉の部分の横断面図である。
【符号の説明】
【００３２】
１    メダル研磨装置
３    下部タンク
３ａ  開口
３ｂ  矩形枠体
３ｃ  絞り口
４    搬送コンベア
５    オーバーフロータンク
９    計数機
１０  排出口
１１  支持片
１２  枠体
１３  ヘッド側
１４  テール側
１５  ベルト
１６  モータ
１７  減速機
１８  係止片
１９  ネジ穴
２０  隙間
Ｌ１  搬送コンベアのベルトの幅
Ｌ２  下部タンクの排出口の幅
Ｈ    下部タンクの排出口の下端から搬送コンベアのベルトの上面までの落差
【図１】
2006204482.tif 000003
【図２】
2006204482.tif 000004
【図３】
2006204482.tif 000005
【図４】
2006204482.tif 000006
【図５】
2006204482.tif 000007
【図６】
2006204482.tif 000008
【図７】
2006204482.tif 000009